(57)【要約】わな漁で捕らえられた甲殻類および非甲殻類を誘引するエサ。このエサは、水中で長寿命となるような成分により構成されたペレット化されたキャリアを含む。このペレット化されたキャリアには、捕らえようとする獲物に対応して特別な誘引物質が混合され、魚油がペレットおよび誘引物質を被覆するように加えられ、この魚油が、誘引物質が徐々に放出されるようにする。現在までの実験によれば、ペレット化されたキャリアと誘引物質とを魚油被覆と共に使用することで、獲物を誘引するエサとして有効であり、わな内で長い寿命をもつことがわかった。【特許請求の範囲】
【請求項１】
わな漁において獲物を捕らえるためにわなに仕掛けられるエサであり、ペレットに加工されていない魚の食物に比較して長寿命となる成分を有する食物により構成されたペレット化された食物と、甲殻類およびまたは非甲殻類の獲物を誘引する誘引物質と、前記ペレットおよび前記誘引物質を被覆し、前記誘引物質が徐々に放出されるようにすることで前記獲物を誘引できるようにする油被覆とを含むエサ。
【請求項２】
前記甲殻類はロブスター、カニおよびまたはクルマエビを含み、前記食物は前記ロブスター、カニおよびまたはクルマエビのための甲殻類用食物である請求項１記載のエサ。
【請求項３】
前記油被覆は魚油の被覆である請求項１記載のエサ。
【請求項４】
前記魚油の被覆は噴霧ノズルから噴霧されたものである請求項３記載のエサ。
【請求項５】
前記魚油の被覆が２５９ｋｇのエサあたり約５ないし１０リットルの割合で前記ペレット化された食物に加えられた請求項４記載のエサ。
【請求項６】
前記誘引物質はイカ粉、イノシン１リン酸およびアクアトラクトを含む請求項１記載のエサ。
【請求項７】
前記イカ粉が前記ペレット化された食物２５０ｋｇあたり１ないし３ｋｇ加えられた請求項６記載のエサ。
【請求項８】
前記イノシン１リン酸が前記ペレット化された食物２５０ｋｇあたり１．５ないし４．５ｋｇ加えられた請求項５記載のエサ。
【請求項９】
甲殻類および非甲殻類のわな漁に使用されるわなに獲物を誘引する方法であり、比較的長寿命の成分により製造されたキャリアと、このキャリアに混合され前記獲物を誘引するための少なくとも一つの誘引物質と、この誘引物質が徐々に放出されるようにする油被覆とからなるペレット化されたエサを得るステップと、このエサを前記わなに取り付けるステップと、前記わなを前記甲殻類およびまたは非甲殻類を誘引して捕らえるために水中に設置するステップとを含む方法。
【請求項１０】
前記わなはロブスター用のわなであり、前記エサは前記ロブスターを誘引するための甲殻類用のエサである請求項９記載の方法。
【請求項１１】
わな漁において獲物をわなに誘引するためにわな内で使用されるエサを製造する方法であり、比較的長寿命で消化できる成分により構成された甲殻類または非甲殻類のためのペレット化された食物に、油および少なくともひとつの誘引物質を混合して、前記わな内に捕らえられた前記甲殻類および非甲殻類のためのエサを形成するステップを含むエサの製造方法。
【請求項１２】
前記油は魚油である請求項１１記載のエサの製造方法。
【請求項１３】
前記ペレット化された食物の前記比較的長寿命の成分は小麦ミール、フェザーミールおよび血液ミールを含む請求項１２記載のエサの製造方法。
【請求項１４】
前記誘引物質はイカ粉、イノシン１リン酸およびアクアトラクトを含む請求項１３記載のエサの製造方法。
【請求項１５】
前記イカ粉を食物２５０ｋｇあたり１ないし３ｋｇ加える請求項６記載のエサの製造方法。
【請求項１６】
前記イノシン１リン酸を食物２５０ｋｇあたり１．５ないし４．５ｋｇ加える請求項１４記載のエサの製造方法。
【請求項１７】
前記アクアトラクトを食物２５０ｋｇあたり１ないし３ｋｇ加える請求項１４記載のエサの製造方法。
【請求項１８】
請求項１１ないし１７のいずれか記載の方法により製造された物。
【発明の詳細な説明】
【０００１】
［前置き］
本発明はエサに関し、特に、誘引物質を含み、わな漁において商品価値のあるロブスター、クルマエビ、小エビおよびその他の漁獲物に対する誘引効果が長続きするようにした甲殻類または非甲殻類のエサに関する。
【０００２】
［発明の背景］
現在、わな漁に従事する漁師は、鮮魚または冷凍魚の一部または丸ごとの魚をその漁に利用している。用いられる魚は、伝統的に、ニシン、サバ、ベニマスあるいはサケである。このエサは申し分のない働きをし、ロブスターおよび他の甲殻類および非甲殻類を魚用のわなにきちんと誘引する。しかし、鮮魚や冷凍魚あるいはその一部をそのようなわなに使用することには、それなりの欠点がある。
【０００３】
第一に、鮮魚または冷凍のエサは、わな内での寿命が非常に短い。塩水および他の日和見清掃動物がエサの質を急速に劣化させ、エサを使用する条件にもよるが、比較的短い時間のうちに、エサはその劣化によってもはや誘引物質として役立たなくなる。第二に、鮮魚または冷凍のエサは取り扱いが不便である。鮮魚は場合によっては入手できないこともあるし、どのようなことがあっても、わなにエサを取り付けるときには、最初にそのようなエサを入手しなければならない。冷凍のエサは確実に入手できるが、凍ったまま保存するために冷凍が必要であり、エネルギを消費する。第三に、鮮魚または冷凍のエサのコストは、漁業シーズンの時期と鮮魚または冷凍のエサが入手できるかどうかとに非常に大きく依存して変動し、ときには非常に高価なものとなる。第四に、伝統的なエサは、各漁業シーズンに先立って確保しておかなければならず、ときには、漁の条件に応じて冷凍または塩蔵しておかなければならない。鮮魚または冷凍のエサの需要を減らすことは環境に魅力的であり、魚の備蓄を増加させ、不足している海洋資源をより有効に使用できる。
【０００４】
［発明の概要］
本発明のひとつの観点によると、わな漁法における獲物のため使用されるわなのためのエサが提供される。このエサは、ペレットに加工されていない魚の食物に比較して長寿命となる成分を有するペレット化されたキャリアおよび誘引物質を含み、前記成分がペレット化された食物を形成し、前記エサはさらに、甲殻類およびまたは非甲殻類の獲物を誘引する誘引物質と、前記ペレットおよび前記誘引物質を被覆する油とを含み、前記油被覆が前記誘引物質を徐々に放出するようにすることで、前記獲物を誘引できるようにする。
【０００５】
本発明の別の観点によると、甲殻類および非甲殻類のわな漁に使用されるわなに所望の獲物を誘引する方法であり、比較的長寿命の成分により製造されたキャリアと、このキャリアに混合され前記獲物を誘引するための少なくとも一つの誘引物質と、この誘引物質が徐々に放出されるようにする油被覆とからなるペレット化されたエサを得るステップと、このエサを前記わなに取り付けるステップと、前記わなを前記甲殻類およびまたは非甲殻類を誘引して捕らえるために水中に設置するステップとを含む方法が提供される。
【０００６】
本発明の別の観点によると、わな漁において獲物をわなに誘引するためにわな内で使用されるエサを製造する方法であり、比較的長寿命で消化できる成分により構成された甲殻類または非甲殻類のためのペレット化された食物に、油および少なくともひとつの誘引物質を混合して、前記わな内に捕らえられた前記甲殻類および非甲殻類のためのエサを形成するステップを含むエサの製造方法が提供される。
【０００７】
本発明のさらに別の観点によると、上述した方法により製造された物が提供される。
【０００８】
［特定の実施例の記述］
本発明の具体的な実施例について、本発明の単なる一例として、図面を参照して説明する。
【０００９】
最初に断っておくと、ここで議論および記述されるエサは、現時点では制御された状況下でのみ試験が行なわれ、基本的に甲殻類、特にロブスターを捕獲するためのものとして試験されたものである。このためまだ研究室の試験による保証しか得られていないが、事態が順当に運べば実際に海で試験を行なうつもりであり、そのような試験においても、本明細書で説明する利点および結論が得られるものと考えられる。さらに、これまでの試験から、このエサがロブスターへの利用に限定されるものではないことが明らかになった。むしろ本発明は、カニ、クルマエビ、小エビおよび他の甲殻類にも利用でき、それどころか、非甲殻類のわな漁に使用するエサとしても有用である。
【００１０】
図面を参照すると、図１の参照番号１００によりロブスター用わなを全体的に示す。このロブスター用わな１００は研究室の試験で使用されたものであり、寸法が５５×５５×３５ｃｍで、プラスチックで被覆された４０ｃｍ２目のワイヤ網によりできている。取替え可能な６ｃｍ目の伸縮性二重網が入り口１０２用に用いられ、この入り口１０２は、直径１５ｃｍのリング状であり一端が縫い付けられて、図１Ｂに矢印で示したように、ロブスターがロブスター用わな１００に入るための進入路を形成する。エサ１０３は３ｍｍ（１／８インチ）目のナイロン網でできた１０×２０ｃｍのエサ袋に入れられ、このナイロン網が図１Ｂに示したようにロブスター用わな１００の天井に取り付けられ、ロブスターはエサ１０３を得るために入り口１０２から進入する。
【００１１】
ロブスター用わな１００に使用されるエサ１０３は食物ペレットに誘引物質を混ぜたペレット状食物キャリアを含み、このペレット状食物キャリアは、通常の魚のエサに比べて塩水内の不利な条件でも長寿命である成分から作られている。通常の魚のエサは、水産養殖環境で魚に与えたときに囲みの底から抜けていってしまうが、その囲みの中の魚は数分のうちに水揚げしてしまうので、長寿命にするような工夫はなされていない。長寿命にするために、ペレットを構成する成分として、全粒小麦ミールを５０ｋｇ、フェザーミールを５０ｋｇ、血液ミールを１２．５ｋｇ、小麦グルテンを５０ｋｇ、家禽ミールを５０ｋｇ、大豆ミールを５０ｋｇ、穀物グルテンミールを５０ｋｇ、再加工物を１９９ｋｇ、およびアイスランドの魚粉を３４ｋｇを用いる。これらの成分は、エサをペレット化する分野では良く知られているように、混合され、型から押し出され、ペレットに切りだされる。
【００１２】
ペレット１１０（図２）は寿命が長くなるように特別に構成され、その後に、誘引物質１１１が混合１１３される。種々の誘引物質が使用可能であるが、現在のところ、２５０ｋｇのエサあたり、イカ粉を１〜３ｋｇ、イノシン１リン酸を１．５〜４．５ｋｇ、アクアトラクト（Ａｑｕａｔｒａｃｔ：二酸化ケイ素、小エビ、塩酸ベタイン、グリシン、脱水された魚の自己分解物を含む添加物）１〜３ｋｇを用いて、満足な結果が得られている。
【００１３】
さらに、ペレット１１０に誘引物質１１および魚油１１２を加え、エサ１１４を得る。魚油１１２としては、南アメリカ産マンハデン（Ｓｏｕｔｈ Ａｍｅｒｉｃａｎ Ｍａｎｈａｄｅｎ）およびまたはアイスランド産ニシンの油が便利である。この魚油１１２を、封入フォーバーグシステム（ｅｎｃｌｏｓｅｄ ｆｏｒｅｂｕｒｇ ｓｙｓｔｅｍ）内で、噴霧ノズルから２５９ｋｇのエサあたり約５〜１０ｋｇ吹きかける。これによりペレットおよび誘引物質１１１を被覆し、あらかじめ定められた時間にわたり誘引物質１１１が徐々に放出されるようにする。研究室の条件では誘引物質が約２４時間にわたりその有効性を維持したが、たぶん、より長い時間にわたり有効性を維持できると考えられる。ただし、測定はされていない。より過酷な屋外の水が作用する条件の下では、誘引物質が徐々に放出されて有効性を維持できる寿命は短いと予想される。
【００１４】
動作時には、長寿命化されたペレット１１０に上述した適当な成分、誘引物質１１１および魚油１１２を組み合わせで得られた適当な量のロブスターのエサ１０３を網袋状コンテナ内に置き、ロブスター用わな１００の天井を閉める。次にロブスター用わな１００を図１Ｂに示したように配置する。
【００１５】
魚油１１２（図２）の被覆はあらかじめ定められた期間にわたり徐々に誘引物質１１１を放出する。誘引物質１１１はロブスターにより嗅ぎつけられ、ロブスターは匂いにつられてわな１００に近づく。ロブスターは、網目の入り口１０２を通ってわな１００に入り、知られているように、わな１００から外に出ることはできない。
【００１６】
研究室の実験では、ペレット１１０および魚油１１２を用いたときの種々の誘引物質１１１に対するロブスターの反応を観察し、この反応を伝統的なエサである生ニシンと比較した。甲殻類用のエサ１１４に対するロブスターの反応は、伝統的なエサである生ニシンのそれと比較して望ましいことがわかった。同様に、「浸水時間」すなわちエサ１１４を水中に置いてもエサ１１４内の誘引物質１１１の効果が劣化することのない時間は、６時間から２４時間に変化した。
【００１７】
本発明について特にロブスターを誘引する場合について説明し、実際の実験でもアメリカン・ロブスターを捕獲する場合を意図していたが、このエサは、ノルウェイ・ロブスターなどの他のロブスターや、カニ、特にスノー・クラブ（ｓｎｏｗ ｃｒａｂ）やターナー・クラブ（Ｔａｎｎｅｒ ｃｒａｂ）、アラスカン・キング・クラブ（Ａｌａｓｋａｎ ｋｉｎｇ ｃｒａｂ）を含むタラバガニ（ｋｉｎｇ ｃｒａｂ）、ダンジェネス（ｄｕｎｇｅｎｅｓｓ）およびブルー・クラブ（大西洋およびメキシコ湾岸産）などの他の甲殻類にも同様に有用であると考えられる。
【００１８】
さらに、他の甲殻類、例えばクルマエビおよびまたは小エビも本発明により有効に捕まえられると考えられる。さらに、ギンダラ（ｓａｂｌｅ ｆｉｓｈ）、ブラックコド（Ｂｌａｃｋ Ｃｏｄ）を含むエサを用いてわなで捕獲する漁業で捕らえることのできる非甲殻類についても、本発明により有効に捕まえられると考えられる。
【００１９】
本発明の属する分野の当業者であれば多くの変更を容易にでき、上述した特定の実施例は本発明を説明するためだけのものであり、添付の請求項にしたがって定義される本発明の範囲を制限するものではない。
【図面の簡単な説明】
【図１】ＡおよびＢはそれぞれ、わな漁で用いられ、通常の網目開口を有し、本発明による所望の獲物のためのエサが内部に配置されたわなの模式的な前面図および同側面図。
【図２】本発明によるエサを製造するための工程を示す模式的なブロック図。
【図１】
2004513661.tif 000002
【図２】
2004513661.tif 000003
【国際公開パンフレット】
2004513661.tif 000004
2004513661.tif 000005
2004513661.tif 000006
2004513661.tif 000007
2004513661.tif 000008
2004513661.tif 000009
2004513661.tif 000010
2004513661.tif 000011
2004513661.tif 000012
2004513661.tif 000013
2004513661.tif 000014
2004513661.tif 000015
2004513661.tif 000016
2004513661.tif 000017
2004513661.tif 000018
2004513661.tif 000019
2004513661.tif 000020
2004513661.tif 000021
【国際公開パンフレット（コレクトバージョン）】
2004513661.tif 000022
【国際公開パンフレット（コレクトバージョン）】
2004513661.tif 000023
【国際公開パンフレット（コレクトバージョン）】
2004513661.tif 000024
2004513661.tif 000025
2004513661.tif 000026
2004513661.tif 000027
2004513661.tif 000028
2004513661.tif 000029
2004513661.tif 000030
2004513661.tif 000031
2004513661.tif 000032
2004513661.tif 000033
2004513661.tif 000034
2004513661.tif 000035
2004513661.tif 000036
2004513661.tif 000037
2004513661.tif 000038
2004513661.tif 000039
2004513661.tif 000040
【国際調査報告】
2004513661.tif 000041
2004513661.tif 000042
2004513661.tif 000043